【事件の表示】
　特願２０１５−　８３９９７「データ処理方法およびビデオ送信方法」拒絶査定不服審判事件〔平成２７年　９月１０日出願公開、特開２０１５−１６４３３６〕について、次のとおり審決する。
【結　論】
　本件審判の請求は、成り立たない。
【理　由】
第１　経緯
１　経緯
　本件出願は、２００２年（平成１４年）４月２３日（パリ条約による優先権主張外国庁受理２００１年４月２４日、米国）を国際出願日とする出願である特願２００２−５８４６３０号の一部を平成２４年２月１０日に新たな特許出願とした特願２０１２−２７０１５号の一部を、更に平成２７年４月１６日に新たな特許出願としたものであって、その手続きの経緯は、以下のとおりである。
　　
　平成２７年　５月１５日：手続補正(1)
　平成２８年　２月　２日：拒絶理由の通知
　平成２８年　５月２６日：手続補正(2)
　平成２８年　６月２２日：拒絶理由の通知（最後）
　平成２８年１２月２１日：手続補正(3)
　平成２９年　１月２３日：補正の却下の決定（手続補正(3)）
　平成２９年　１月２３日：拒絶査定
　平成２９年　２月　１日：拒絶査定の謄本の送達
　平成２９年　６月　１日：拒絶査定不服審判の請求
　平成２９年　６月　１日：手続補正(4)
　　
２　査定の概要
　原査定の理由は、概略、次のとおりである。
　　
［査定の理由］
　この出願の請求項１、２に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　
　　　　　　　　　　　　　　　記
　引用文献３：米国特許第６０３４７４６号明細書
　引用文献７：Hurst N., et.al., MPEG Splicing: A New Standard for Television - SMPTE 312M, SMPTE Journal, Vol.107, No.11, November 1998, pages 978-988, ISSN:0036-1682
　引用文献８：特開平１１−２６２００２号公報
　引用文献９：国際公開第００／１６５４４号
　引用文献１０：馬場昌之（外１名），「B-8-55 ＭＰＥＧ−２　ＴＳスプライシングに関する一検討」，電子情報通信学会１９９７年通信ソサイエティ大会講演論文集２，１９９７年８月１３日，社団法人電子情報通信学会，第２８０頁
　　
（なお、拒絶査定の理由は、引用文献７を主引例としている。）
　　
第２　補正却下の決定
　平成２９年６月１日付けの手続補正について次のとおり決定する。
 　 
［補正却下の決定の結論］
　平成２９年６月１日付けの手続補正を却下する。
　　
［理由］
１　補正の内容
　平成２９年６月１日付けの手続補正（以下「本件補正」という。）は、特許請求の範囲についてする補正である。
　　
　補正前の請求項１〜２
「　【請求項１】
　パケット化されたビデオ・データを処理する方法であって、
　第１の表示解像度を有する第１のビデオ番組を表す符号化されたデータを含む第１のビデオ・ストリームを受信するステップと、
　前記第１の表示解像度よりも高い第２の表示解像度を有する第２のビデオ番組を表す符号化されたデータを含む第２のビデオ・ストリームを受信するステップと、
　前記第１の表示解像度の番組および前記第２の表示解像度の番組の各々の識別情報を処理するステップと、
　前記識別情報に応じて、前記第１のビデオ番組を表す符号化されたデータを含む第１のビデオ・ストリームと前記第２のビデオ番組を表す符号化されたデータを含む第２のビデオ・ストリームとを特定するステップであって、該識別情報は、前記第１のビデオ番組を表す符号化されたデータおよび前記第２のビデオ番組を表す符号化されたデータを特定するための第１のパケット識別子（ＰＩＤ）および第２の識別子（ＰＩＤ）をそれぞれ含み、該第１のＰＩＤおよび第２のＰＩＤは互いに異なる、前記特定するステップと、
　前記第１のビデオ・ストリームから前記第２のビデオ・ストリームへ切り換えるステップであって、該切り換えは、前記第１のビデオ・ストリームに含まれる第１のスプライシング・ポイントと前記第２のビデオ・ストリームに含まれる第２のスプライシング・ポイントとに基づいて行われ、前記第１のビデオ・ストリームおよび前記第２のビデオ・ストリームはプレゼンテーション・タイム・スタンプ（ＰＴＳ）を含み、前記第２のビデオ・ストリームは前記第２のスプライシング・ポイントの直後に閉じられたＧＯＰを含む、前記切り換えるステップと、
を含む、前記方法。
　　【請求項２】
　前記切り換えるステップにおいて、該切り換えの際に生じる前記第１のビデオ・ストリームと第２のビデオ・ストリームとの不連続部を低減するステップをさらに含む、請求項１記載の方法。」
　　
を、次のとおり補正後の請求項１に補正するものである（下線は補正箇所である。）。
　　
「　【請求項１】
　パケット化されたビデオ・データを処理する方法であって、
　第１の表示解像度を有する第１のビデオ番組を表す符号化されたデータを含む第１のビデオ・ストリームを受信するステップと、
　前記第１の表示解像度よりも高い第２の表示解像度を有する第２のビデオ番組を表す符号化されたデータを含む第２のビデオ・ストリームを受信するステップと、
　前記第１の表示解像度の番組および前記第２の表示解像度の番組の各々の識別情報を処理するステップと、
　前記識別情報に応じて、前記第１のビデオ番組を表す符号化されたデータを含む第１のビデオ・ストリームと前記第２のビデオ番組を表す符号化されたデータを含む第２のビデオ・ストリームとを特定するステップであって、該識別情報は、前記第１のビデオ番組を表す符号化されたデータおよび前記第２のビデオ番組を表す符号化されたデータを特定するための第１のパケット識別子（ＰＩＤ）および第２の識別子（ＰＩＤ）をそれぞれ含み、該第１のＰＩＤおよび第２のＰＩＤは互いに異な
り、該識別情報は記述子を有し、該記述子が前記第１または第２の表示解像度を表す情報を含む
　前記第１のビデオ・ストリームから前記第２のビデオ・ストリームへ切り換えるステップであって、該切り換えは、前記第１のビデオ・ストリームに含まれる第１のスプライシング・ポイントと前記第２のビデオ・ストリームに含まれる第２のスプライシング・ポイントとに基づ
き、前記第１または第２の表示解像度を表す前記情報を含む前記記述子が使用されて
を含む、前記方法。」
　　
２　補正の適合性
　本件補正は、請求項１において、以下のとおりにする補正である。
(a)「識別情報」を更に「
該識別情報は記述子を有し、該記述子が前記第１または第２の表示解像度を表す情報を含む
(b)「該切り換えは、前記第１のビデオ・ストリームに含まれる第１のスプライシング・ポイントと前記第２のビデオ・ストリームに含まれる第２のスプライシング・ポイントとに基づいて行われ」を「該切り換えは、前記第１のビデオ・ストリームに含まれる第１のスプライシング・ポイントと前記第２のビデオ・ストリームに含まれる第２のスプライシング・ポイントとに基づ
き、前記第１または第２の表示解像度を表す前記情報を含む前記記述子が使用されて
　　
　上記(a)、(b)は、特許請求の範囲を減縮を目的とする補正と認められる。
　　
　そこで、特許請求の範囲に記載されている事項により特定される発明が特許出願の際独立して特許を受けることができるか否か以下検討する。
　　
３　独立特許要件
　補正後の請求項１に係る発明における「該切り換えは、前記第１のビデオ・ストリームに含まれる第１のスプライシング・ポイントと前記第２のビデオ・ストリームに含まれる第２のスプライシング・ポイントとに基づ
き、前記第１または第２の表示解像度を表す前記情報を含む前記記述子が使用されて
　「
前記第１または第２の表示解像度を表す前記情報を含む前記記述子が使用されて
　したがって、補正後の請求項１に係る発明は明確でない。
　　
　以上のとおり、補正後の請求項１に係る発明は、特許法第３６条第６項第２項の規定する要件を満たしていないから、特許出願の際独立して特許を受けることができることができない。
　　
　したがって、本件補正は、特許法第１７条の２第６項において準用する同法第１２６条第７項の規定に違反するので、同法第１５９条第１項において読み替えて準用する同法第５３条第１項の規定により却下すべきものである。
　　
　よって、補正却下の決定の結論のとおり決定する。
　　
第３　本願発明について 
１　本願発明 
　平成２９年６月１日付けの手続補正は、上記のとおり却下されたので、本願の請求項１〜２に係る発明は、平成２８年５月２６日付け手続補正により補正された特許請求の範囲の記載からみて、その特許請求の範囲の請求項１〜２に記載した事項により特定されるとおりのものであるところ、請求項１に係る発明（以下「本願発明」という。）は、次のとおりのものである。
　　
（本願発明）
「（Ａ）パケット化されたビデオ・データを処理する方法であって、
（Ｂ）第１の表示解像度を有する第１のビデオ番組を表す符号化されたデータを含む第１のビデオ・ストリームを受信するステップと、
（Ｃ）前記第１の表示解像度よりも高い第２の表示解像度を有する第２のビデオ番組を表す符号化されたデータを含む第２のビデオ・ストリームを受信するステップと、
（Ｄ）前記第１の表示解像度の番組および前記第２の表示解像度の番組の各々の識別情報を処理するステップと、
（Ｅ）前記識別情報に応じて、前記第１のビデオ番組を表す符号化されたデータを含む第１のビデオ・ストリームと前記第２のビデオ番組を表す符号化されたデータを含む第２のビデオ・ストリームとを特定するステップであって、該識別情報は、前記第１のビデオ番組を表す符号化されたデータおよび前記第２のビデオ番組を表す符号化されたデータを特定するための第１のパケット識別子（ＰＩＤ）および第２の識別子（ＰＩＤ）をそれぞれ含み、該第１のＰＩＤおよび第２のＰＩＤは互いに異なる、前記特定するステップと、
（Ｆ）前記第１のビデオ・ストリームから前記第２のビデオ・ストリームへ切り換えるステップであって、該切り換えは、前記第１のビデオ・ストリームに含まれる第１のスプライシング・ポイントと前記第２のビデオ・ストリームに含まれる第２のスプライシング・ポイントとに基づいて行われ、前記第１のビデオ・ストリームおよび前記第２のビデオ・ストリームはプレゼンテーション・タイム・スタンプ（ＰＴＳ）を含み、前記第２のビデオ・ストリームは前記第２のスプライシング・ポイントの直後に閉じられたＧＯＰを含む、前記切り換えるステップと、
（Ｇ）を含む、前記方法。」
　　
（（Ａ）〜（Ｇ）は当審で付与した。以下各構成要件を「構成要件Ａ」〜「構成要件Ｇ」という。）
　　
２　引用文献の記載及び引用文献に記載された発明
（１）引用文献７
ア　引用文献７の記載事項
　原査定の拒絶の理由に引用された引用文献７には、「
MPEG Splicing
ＭＰＥＧスプライシング
　　
（ア）「Commercial insertion, promo insertion, studio routing, camera switching, tape editing―each of these basic operations involves switching video and audio. We want to continue to perform these operations even as we move from using uncompressed video to using MPEG-2 compressed video, but they are far from trivial. This paper describes the MPEG bitstream constraints required to facilitate 
switching−or splicing−MPEG bitstreams
Splice Points for MPEG-2 Transport Streams
［訳：コマーシャル挿入、プロモの挿入、スタジオルーティング、カメラの切り替え、テープ編集−これらの基本操作の各々は、ビデオ及びオーディオのスイッチングを伴う。非圧縮ビデオの使用からＭＰＥＧ-2圧縮ビデオの使用へ移行するとしても、これらの動作を継続することを求めるが、それらは些細なことではない。この論文は、
ＭＰＥＧビットストリームのスイッチング−または「スプライシング」−
ＭＰＥＧ−２トランスポートストリームのためのスプライスポイント
　　
（イ）「Switching from one television program to another is one of the most common operations we do. Whether we go to commercial, reroute a signal, cut a news story together on tape, or take camera 3, it is this simple switching operation we depend on.
　Today, switching takes place in the vertical interval of the video signal, and the associated audio is also switched. Switching is an operation that is so common, we take it for granted.
　Until now. Enter MPEG. We want to do the same sort of switching, or splicing as MPEG calls it, with compressed bitstreams. We need to define some kind of vertical interval for MPEG-2 transport streams that will provide opportunities to switch from one program to another. 
These switching opportunities are called splice points.
［訳：１つのテレビ番組から他のテレビ番組へのスイッチングは、最も一般的な動作の１つである。「コマーシャルに行く」、信号を再経路指定する、テープ上に一緒にニュース記事を切断する、または「カメラ３にする」かどうかは、我々が依存するこの簡単なスイッチング動作である。
　今日では、スイッチングは、ビデオ信号の垂直期間で行われ、関連する音声も切り替わる。スイッチングはとても一般的で、当たり前の操作である。
　これまで。ＭＰＥＧに入る。同じ種のスイッチング又はスプライシングを圧縮されたビットストリーム、我々はＭＰＥＧと呼ぶ、に行うのを望む。我々は、１つの番組から他の番組にスイッチする機会を供給する、ＭＰＥＧ−２トランスポートストリームのためのある種類の垂直期間を定義する必要がある。
これらのスイッチングの機会は、スプライスポイントと呼ばれる。
　　
（ウ）「Either way, we must use a 
closed GOP,
at the place we go in
［訳：いずれにしても、
我々は、移行する場所として「クローズドＧＯＰ」
　　
（エ）「Synchronization
　MPEG introduces a notion we sometimes call squishy time. Frames vary in the number of bits required to represent them. Typically, I frames take many frame times to send, and P and B frames take a fraction of a frame time to send, but even this is not the rule. As a result, picture_start_codes (the “vertical sync of MPEG) do not occur at regular intervals. 
To switch between two streams, the Out Point at the end of one picture in the Old Stream must line up with the In Point of the new stream. (Fig. 6.)
［訳：同期化
　ＭＰＥＧは、我々がつぶされた時間と呼ぶ概念を導入する。これらのフレームは、それらを表すために必要なビットの数が様々である。典型的に、Iフレームは、送るために多くのフレーム時間がかかり、PおよびBフレームは、送るためにわずかなフレーム時間がかかる。これでさえも原則ではない。結果として、picture_start_codes（ＭＰＥＧの「垂直同期」）は、規則的な間隔で発生しない。
２つのストリームの間で切り替えるために、旧ストリームの１つのピクチャの終了時のアウトポイントが新しいストリームのインポイントと並ばなければならない(図6)
　　
「
Figure 6. Splice Point Synchronization. NTSC and PAL send each picture in a fixed period of time, so aligning frame boundaries in NTSC and PAL is not a stream-dependent operation. But this is not the case with MPEG. Aligning frame boundaries must be done each time a splice is performed.」
［訳：図６　スプライスポイント同期。NTSC及びPALは、一定時間の間に、各画像を送るので、NTSCとPALのフレーム境界を整列させることは、ストリーム依存動作ではない。しかしながら、これはＭＰＥＧの場合ではない。フレーム境界の整合は、スプライスが行われる毎に行われなければならない。］　　
　　
イ　引用文献７に記載された発明
　タイトルによると、引用文献７には、「ＭＰＥＧスプライシング」が記載されている。
　上記ア（ア）によると、ＭＰＥＧスプライシングは、ＭＰＥＧビットストリームのスイッチングである。
　上記ア（イ）によると、スイッチングの機会はスプライスポイントと呼ばれている。
　上記ア（エ）及び図６によると、引用文献７には、ＭＰＥＧストリームをスプライスポイントで切り換えることが記載されている。具体的には、旧ＭＰＥＧストリームのアウトポイント（スプライスポイント）から新しいＭＰＥＧストリームのインポイント（スプライスポイント）に切り換えることが記載されている。
　また、上記ア（ウ）、図６によると、切り換えは、切り換え後のストリームにおいて、スプライスポイント後にＩフレームから始まるものであるから、切り換え後のストリーム、すなわち新しいストリームは、スプライスポイントの直後に閉じられたＧＯＰであることが記載されている。この点は、後述する下記（４）、（５）の引用文献９、１０にも記載されているように技術常識である。
　さらに、上記ア（ア）によると、ＭＰＥＧ−２ストリームのためのスプライスポイントに関し記載されていることから、上記のＭＰＥＧストリームはＭＰＥＧ−２ストリームといえる。
　　
　後述する下記（２）の引用文献８に示されているように、ＭＰＥＧ−２においては、ＰＩＤにより番組のストリームを識別すること、ストリームがＰＴＳを含むことは技術常識である。
　この技術常識を踏まえると、引用文献７には、次の発明（以下「引用発明」という。）が記載されていると認められる。
　　
（引用発明）
（ａ）ＭＰＥＧ−２ストリームをスプライスポイントで切り換える方法であって、
（ｂ）旧ＭＰＥＧ−２ストリームのスプライスポイントから新しいＭＰＥＧ−２ストリームのスプライスポイントに切り換え、
（ｃ）新しいＭＰＥＧ−２ストリームは、スプライスポイント直後に閉じられたＧＯＰであり、
（ｄ）ＭＰＥＧ−２ストリームは、ＰＩＤにより番組のストリームを識別し、ＰＴＳを含むものである、
（ｅ）方法。
　　
（（ａ）〜（ｅ）は、引用発明の構成を区別するために付与した。以下各構成を「構成ａ」〜「構成ｅ」という。）
　　
（２）引用文献８の記載事項
　原査定の拒絶の理由に周知技術として引用された引用文献８には、「データ解析装置及びデータ解析方法」（発明の名称）に関し、図面と共に次に掲げる事項が記載されている。
　　
「【０００４】
【従来の技術】近年、映像やそれに伴う音声の情報量を減らすものとして、種々の圧縮符号化方式が提案されている。その代表的なものとして、ＩＳＯ（International Organization for Standardization：国際標準化機構）等の機関によつて標準化された
ＭＰＥＧ２
【０００５】このようなＭＰＥＧ２方式を用いて映像や音声を圧縮符号化し、それを地上波や衛星波を使用して放送するデイジタル放送システムが近年考え出されている。このようなデイジタル放送システムでは、符号化した映像データや音声データを伝送用に所定ブロツク毎にパケツト化し、その結果得られるパケツト列を送信するようになされている（以下、このパケツト列をトランスポートストリームと呼び、トランスポートストリームを形成する各パケツトをＴＳ（Transport Stream）パケツトと呼ぶ）。
【０００６】ここで映像データや音声データとＴＳパケツトの関係を図１１を用いて説明する。但し、基本的な考え方は映像と音声で同じであるので、ここでは映像データについてのみ説明する。図１１（Ａ）及び（Ｂ）に示すように、ＭＰＥＧ２方式においては、数枚のピクチヤを１ＧＯＰ（Group Of Picture）として定義し、ＧＯＰ単位で映像データを圧縮符号化するようになされている。その際、ＧＯＰのピクチヤのうち少なくとも１つをＩピクチヤとし、残るピクチヤをＰ又はＢピクチヤとし、Ｉピクチヤに関してはフレーム内符号化により圧縮符号化し、Ｐピクチヤに関してはＩピクチヤ又は他のＰピクチヤからのフレーム間予測符号化により圧縮符号化し、Ｂピクチヤに関しては前後のピクチヤからの双方向フレーム間予測符号化により圧縮符号化するようになされている。
【０００７】ＧＯＰ単位で符号化された符号化映像データは素材要素であることから一般にはエレメンタリーストリーム（ＥＳ）と呼ばれる。この符号化映像データは、図１１（Ｂ）及び（Ｃ）に示すように、所定量ずつ集められ、その先頭にヘツダを付加することによりＰＥＳ（Packetized Elementary Stream）パケツト化される。さらにこのＰＥＳパケツトは、図１１（Ｃ）及び（Ｄ）に示すように、184〔byte〕毎に分割され、その先頭に４〔byte〕のヘツダを付加することにより伝送用のＴＳパケツトに変換される。かくしてこのような手順で映像データから生成されたパケツトがＴＳパケツトである。
【０００８】なお、ＰＥＳパケツトのヘツダ構造としては、図１２に示すように、ＰＥＳパケツトの開始を示す24〔bit〕のパケツト開始コードと、ＰＥＳパケツトの実データ部分に収容されるストリームデータの種別（例えば映像や音声等の種別）を示す８〔bit〕のストリームＩＤと、以降に続くデータの長さを示す16〔bit〕のパケツト長と、値「10」を示すコードデータと、各種フラグ情報が格納されるフラグ制御部と、コンデイシヨナル・コーデイング部のデータの長さを示す８〔bit〕のＰＥＳヘツダ長と、
ＰＴＳ
【０００９】またＴＳパケツトのヘツダ構造としては、図１３に示すように、ＴＳパケツトの開始を示す８〔bit〕の同期バイトと、パケツト内におけるビツトエラーの有無を示す誤り表示部（エラー・インジケータ部）と、ＰＥＳパケツトの先頭がこのＴＳパケツト内に存在するか否かを示すユニツト開始表示部と、このＴＳパケツトの重要度を示すトランスポート・パケツト・プライオリテイ部と、このＴＳパケツトのペイロード部に収容されているストリームデータの種別を示すパケツト識別情報
ＰＩＤ
　　
「【００１３】番組情報ＰＭＴは番組を構成する映像データ及び音声データがそれぞれ格納されているＴＳパケツトのパケツト識別情報
ＰＩＤ
　　
「【００２６】ここでこのスプライシング装置１において行うスプライシング処理の原理を簡単に説明する。まずトランスポートストリームＳ１０には番組Ａ、Ｃ、Ｅの３つの番組の映像データが多重化され、トランスポートストリームＳ１１には番組Ｂ、Ｄ、Ｆの３つの番組の映像データが多重化されているとし、その中の番組Ａの映像データＤＡに対して番組Ｂの映像データＤＢをスプライシング処理するものとする。このようなトランスポートストリームＳ１０、Ｓ１１が入力されると、スプライシング装置１は、トランスポートストリームＳ１０、Ｓ１１内の各映像データをパケツト識別情報
ＰＩＤ
番組
　　
（３）引用文献３
ア　引用文献３の記載事項
　原査定の拒絶の理由に引用された引用文献３には、「SYSTEM AND METHOD FOR INSERTING DATA INTO A DIGITAL AUDIO/VIDEO DATA STREAM」（発明の名称：デジタルオーディオ／ビデオストリームにデータを挿入するためのシステム及び方法）に関し、図面と共に次に掲げる事項が記載されている。
　　
（ア）「The present invention is a method, system, and computer readable medium for 
inserting
commercials
The present invention
inserted
attributes
different
Attributes
resolution
After the inserted data is played, the original data stream continues to play.
　The described embodiment explains how the present invention may be used to add commercials into an MPEG-2 Program Stream. However, the present invention is applicable to any type of digital data stream, including, but not limited to MPEG-1 Systems Multiplex, and other types of data streams, both with and without 
defined splice points
［訳：本発明は、デジタルオーディオ/ビデオデータストリームに
コマーシャル
本発明は
挿入された
異なる属性
属性は
解像度
挿入されたデータが再生された後、元のデータストリームが再生され続ける。
　記載された実施形態は、本発明をＭＰＥＧ−２プログラムストリーム内にコマーシャルを加えるために使用され得るかを説明する。しかし、本発明は、ＭＰＥＧ−１システム多重化に限定されず、他のタイプのデータストリームを含む任意のタイプのディジタルデータストリーム、
規定されたスプライスポイント
　　
（イ）「Referring now to FIG. 9, a flow chart depicting the steps of the present invention will now be described. As shown in FIG. 9, the movie is started and played (step 140) 
until the first commercial insert spot is reached
GOP boundary
commercial
［訳：ここで図９を参照すると、本発明のステップを示すフローチャートが記載されている。図９に示すように、
第１挿入コマーシャルスポットに達するまで
ＧＯＰ境界
コマーシャル
　　
イ　引用文献３に記載された技術
　上記アによると、ＭＰＥＧ−２ストリームに規定されたスプライスポイントで、ストリームとの属性（解像度）が異なるコマーシャルを挿入する技術が記載されている。
　　
（４）引用文献９の記載事項
　原査定の拒絶の理由に周知技術として引用された引用文献９には、「COMPRESSED DIGITAL-DATA SEAMLESS VIDEO SWITHING SYSTEM」（発明の名称：圧縮ディジタルデータのシームレスビデオの切り換えシステム）に関し、図面と共に次に掲げる事項が記載されている。
　　
「With respect to creation of 
the video splice point 336
closed GOP
［訳：
ビデオスプライスポイント３３６
“クローズド”ＧＯＰ
　　
（５）引用文献１０の記載事項
　原査定の拒絶の理由に周知技術として引用された引用文献１０には、「ＭＰＥＧ−２　ＴＳスプライシングに関する一検討」（タイトル）に関し、図面と共に次に掲げる事項が記載されている。
　　
「３．実現方法
　ＴＳの各ポイントでの復号開始遅延は様々な値を取り得るため，同じ値となる終了点と開始点を探すことは困難である．そこでスプライシングに用いる全てのＴＳにおいて，スプライシングが可能な全てのポイントで復号開始遅延を一定の値となるように制御すれば，任意のポイントでシームレススプライシングが可能となる．
　そのためにビデオエンコーダでスプライシング可能なポイントを生成する．
　ビデオの開始点になり得るのは，伝送順でＩフレームの先頭だけである．そこでエンコーダがＩフレームの挿入周期（不定でも可）で復号開始遅延を常に一定とする符号化制御（ＣＢＲの場合はこの周期で固定レートを実現）を行う．
　さらに（１）の条件により，
その単位はクローズドＧＯＰとすることが必要である
（Ａ）　ビデオエンコーダ動作
　
クローズドＧＯＰを生成し
　
この単位でスプライシングが可能となる
（Ｂ）　スプライシング装置動作
　各メディア共通のスプライシング可能ポイントを検出するか．そうなるように不要な（ビデオ以外の）ＴＳパケットを廃棄（固定レート場合ヌルＴＳに置換）し，スプライシングを行う．」（２８０頁左カラム２７行〜右カラム９行）
　　
３　対比
（１）本願発明と引用発明とを対比する。
ア　構成要件Ａと構成ａとを対比する。
　構成ａは、「ＭＰＥＧ−２ストリームをスプライスポイントで切り換える方法」であり、「ＭＰＥＧ−２ストリーム」は、「パケット化されたビデオ・データ」といえ、「ＭＰＥＧ−２ストリームをスプライスポイントで切り換える」ことは、「パケット化されたビデオ・データを処理する」といえる。
　したがって、構成要件Ａと構成ａは、「パケット化されたビデオ・データを処理する方法」として一致する。
　　
イ　構成要件Ｂ、Ｃと構成ｂ、ｄとを対比する。
　構成ｂは、「旧ＭＰＥＧ−２ストリームのスプライスポイントから新しいＭＰＥＧ−２ストリームのスプライスポイントに切り換え」るから、「旧ＭＰＥＧ−２ストリーム」と「新しいＭＰＥＧ−２ストリーム」とが必要であり、引用発明は、「旧ＭＰＥＧ−２ストリーム」と「新しいＭＰＥＧ−２ストリーム」を受信するステップがあるといえる。
　構成ｄによると、「ＭＰＥＧ−２ストリームは、ＰＩＤにより番組のストリームを識別」するから、引用発明の「ＭＰＥＧ−２ストリーム」は、ビデオ番組を表す符号化されたデータを含むといえる。
　構成ｂの「旧ＭＰＥＧ−２ストリーム」、「新しいＭＰＥＧ−２ストリーム」は、それぞれ、第１、第２のビデオストリームといえ、ビデオ番組は対応する解像度を有しているといえるから、「第１の解像度を有する第１のビデオ番組を表す符号化されたデータを含む第１のビデオストリーム」、「第２の表示解像度を有する第２のビデオ番組を表す符号化されたデータを含む第２のビデオ・ストリーム」といえる。
　以上まとめると、本願発明と引用発明とは、「第１の表示解像度を有する第１のビデオ番組を表す符号化されたデータを含む第１のビデオ・ストリームを受信するステップ」と、「第２の表示解像度を有する第２のビデオ番組を表す符号化されたデータを含む第２のビデオ・ストリームを受信するステップ」を含む点で共通する。
　しかしながら、「第２の表示解像度」が、本願発明においては、「前記第１の表示解像度よりも高い」ものであるのに対し、引用発明においては、「前記第１の表示解像度よりも高い」ものであると特定されていない点で相違する。
　　
ウ　構成要件Ｄと構成ｄとを対比する。
　構成ｄは、「ＭＰＥＧ−２ストリームは、ＰＩＤにより番組のストリームを識別」するから、構成ｄの「ＰＩＤ」は、構成要件Ｄの「識別情報」に相当し、引用発明は、「前記第１の表示解像度の番組および前記第２の表示解像度の番組の各々の識別情報を処理するステップ」を含むといえる。
　したがって、本願発明と引用発明とは、「前記第１の表示解像度の番組および前記第２の表示解像度の番組の各々の識別情報を処理するステップ」を含む点で一致する。
　　
エ　構成要件Ｅと構成ｄとを対比する。
　上記ウのとおり、構成ｄの「ＰＩＤ」は、本願発明の「識別情報」に相当する。
　構成ｄの「ＰＩＤ」は、番組のストリームを識別するのに用いられるから、引用発明は、「識別情報は、前記第１のビデオ番組を表す符号化されたデータおよび前記第２のビデオ番組を表す符号化されたデータを特定するための第１のパケット識別子（ＰＩＤ）および第２の識別子（ＰＩＤ）をそれぞれ含み」といえる。また、上記イのとおり、構成ｂには、「旧ＭＰＥＧ−２ストリーム」と「新しいＭＰＥＧ−２ストリーム」があり、それぞれ、「第１のビデオ番組を表す符号化されたデータを含む第１のビデオ・ストリーム」、「第２のビデオ番組を表す符号化されたデータを含む第２のビデオ・ストリーム」といえること、また、両者は異なる番組のストリームであるから、両者を識別するのに用いられる第１のＰＩＤと第２のＰＩＤとは異なるものといえる。
　構成ｄは、ＰＩＤにより番組のストリームを識別しているから、引用発明は、「識別情報に応じて、前記第１のビデオ番組を表す符号化されたデータを含む第１のビデオ・ストリームと前記第２のビデオ番組を表す符号化されたデータを含む第２のビデオ・ストリームとを特定するステップ」を含むといえる。
　したがって、本願発明と引用発明とは、「前記識別情報に応じて、前記第１のビデオ番組を表す符号化されたデータを含む第１のビデオ・ストリームと前記第２のビデオ番組を表す符号化されたデータを含む第２のビデオ・ストリームとを特定するステップであって、該識別情報は、前記第１のビデオ番組を表す符号化されたデータおよび前記第２のビデオ番組を表す符号化されたデータを特定するための第１のパケット識別子（ＰＩＤ）および第２の識別子（ＰＩＤ）をそれぞれ含み、該第１のＰＩＤおよび第２のＰＩＤは互いに異なる、前記特定するステップ」を含む点で一致する。
　　
オ　構成要件Ｆと構成ｂ、ｃ、ｄとを対比する。
　構成ｂ及びｃの「スプライスポイント」は、構成要件Ｆの「スプライシング・ポイント」に相当する。
　構成ｂは、「旧ＭＰＥＧ−２ストリームのスプライスポイントから新しいＭＰＥＧ−２ストリームのスプライスポイントに切り換え」るものであり、「前記第１のビデオ・ストリームから前記第２のビデオ・ストリームへ切り換えるステップ」といえることから、構成ｄの「切り換え」は、「前記第１のビデオ・ストリームに含まれる第１のスプライシング・ポイントと前記第２のビデオ・ストリームに含まれる第２のスプライシング・ポイントとに基づいて行われ」るといえる。
　構成ｄの「ＭＰＥＧ−２ストリーム」は、「ＰＴＳを含むものである」から、「前記第１のビデオ・ストリームおよび前記第２のビデオ・ストリームはプレゼンテーション・タイム・スタンプ（ＰＴＳ）を含」むものである。
　構成ｃは、「新しいＭＰＥＧ−２ストリームは、スプライスポイント直後に閉じられたＧＯＰであ」るから、「第２のビデオ・ストリーム」に相当する引用発明の「新しいＭＰＥＧ−２ストリーム」は、「前記第２のスプライシング・ポイントの直後に閉じられたＧＯＰを含む」といえる。
　以上まとめると、本願発明と引用発明とは、「前記第１のビデオ・ストリームから前記第２のビデオ・ストリームへ切り換えるステップであって、該切り換えは、前記第１のビデオ・ストリームに含まれる第１のスプライシング・ポイントと前記第２のビデオ・ストリームに含まれる第２のスプライシング・ポイントとに基づいて行われ、前記第１のビデオ・ストリームおよび前記第２のビデオ・ストリームはプレゼンテーション・タイム・スタンプ（ＰＴＳ）を含み、前記第２のビデオ・ストリームは前記第２のスプライシング・ポイントの直後に閉じられたＧＯＰを含む、前記切り換えるステップ」を含む点で一致する。
　　
カ　構成要件Ｇと構成ｄとを対比すると、「方法」として一致する。
　　
（２）一致点、相違点
　上記（１）によると、本願発明と引用発明との一致点、相違点は次のとおりである。
　　
（一致点）
　パケット化されたビデオ・データを処理する方法であって、
　第１の表示解像度を有する第１のビデオ番組を表す符号化されたデータを含む第１のビデオ・ストリームを受信するステップと、
　第２の表示解像度を有する第２のビデオ番組を表す符号化されたデータを含む第２のビデオ・ストリームを受信するステップと、
　前記第１の表示解像度の番組および前記第２の表示解像度の番組の各々の識別情報を処理するステップと、
　前記識別情報に応じて、前記第１のビデオ番組を表す符号化されたデータを含む第１のビデオ・ストリームと前記第２のビデオ番組を表す符号化されたデータを含む第２のビデオ・ストリームとを特定するステップであって、該識別情報は、前記第１のビデオ番組を表す符号化されたデータおよび前記第２のビデオ番組を表す符号化されたデータを特定するための第１のパケット識別子（ＰＩＤ）および第２の識別子（ＰＩＤ）をそれぞれ含み、該第１のＰＩＤおよび第２のＰＩＤは互いに異なる、前記特定するステップと、
　前記第１のビデオ・ストリームから前記第２のビデオ・ストリームへ切り換えるステップであって、該切り換えは、前記第１のビデオ・ストリームに含まれる第１のスプライシング・ポイントと前記第２のビデオ・ストリームに含まれる第２のスプライシング・ポイントとに基づいて行われ、前記第１のビデオ・ストリームおよび前記第２のビデオ・ストリームはプレゼンテーション・タイム・スタンプ（ＰＴＳ）を含み、前記第２のビデオ・ストリームは前記第２のスプライシング・ポイントの直後に閉じられたＧＯＰを含む、前記切り換えるステップと、
を含む、前記方法。
　　
（相違点）
「第２の表示解像度」が、本願発明においては、「前記第１の表示解像度よりも高い」ものであるのに対し、引用発明においては、「前記第１の表示解像度よりも高い」ものと特定されていない点　
　　
４　相違点の判断等 
　上記２（３）イのとおり、引用文献３には、「ＭＰＥＧ−２ストリームに規定されたスプライスポイントで、ストリームとの属性（解像度）が異なるコマーシャルを挿入する技術」が記載されている。
　引用発明も引用文献３に記載された技術も共にストリームを切り換える技術であるから、引用発明に引用文献３に記載された技術を適用することは当業者が容易に着想することであって、引用発明に引用文献３の技術を適用して第１のビデオ番組と第２のビデオ番組の解像度を異ならせるようにし、引用発明において、「第２の表示解像度」が、「前記第１の表示解像度よりも高い」ものとすることは、当業者が容易になし得ることである。
　　
　そして、本願発明が奏する効果は、その容易想到である構成から当業者が容易に予測し得る範囲内のものであり、同範囲を超える顕著なものでもない。
　　
　したがって、本願発明は、引用文献７に記載された発明及び引用文献３に記載された技術に基づいて当業者が容易に発明することができたものであるから、特許法第２９条第２項の規定により特許を受けることができない。 
　　
５　むすび 
　以上のとおり、本願の請求項１に係る発明は、引用文献７に記載された発明及び引用文献３に記載された技術に基づいて、当業者が容易に発明することができたものであるから、特許法第２９条第２項の規定により特許を受けることができない。
　したがって、請求項２に係る発明について検討するまでもなく、本願は拒絶されるべきものである。
　　
　よって、結論のとおり審決する。